(57)【要約】【課題】十分な軟靭性及び反撥弾性を有し、プラスチックの白化現象、断裂などの従来技術の欠点がないヘアクリップを提供する。【解決手段】ヘアクリップは２つのクリップ体１，２を含む。クリップ体１，２は、外方に曲げられた押圧片１１，２１を上部にそれぞれ有するとともに互いに間隔をおいて配置され、閉じたときに互いに交差される湾曲状のくし歯１２，２２を下部に有する。クリップ体１，２は、スプリング３及びピン３１によりクリップ体１，２を互いに枢着させる枢着部１３，２３を内面にそれぞれ有する。押圧片１１，２１、くし歯１２，２２及び枢着部１３，２３により構成されたクリップ体１，２は、熱可塑性エラストマー材料により製造されて軟靭性及び反撥弾性を得る。【選択図】図１
0003181911.tif 000002
【実用新案登録請求の範囲】
【請求項１】
２つのクリップ体を含むヘアクリップであって、
前記クリップ体は、外方に曲げられた押圧片を上部にそれぞれ有するとともに互いに間隔をおいて配置され、閉じたときに互いに交差される湾曲状のくし歯を下部に有し、
前記クリップ体は、スプリング及びピンにより前記クリップ体を互いに枢着させる枢着部を内面にそれぞれ有し、
前記押圧片、前記くし歯及び前記枢着部により構成されたクリップ体は、熱可塑性エラストマー材料により製造されて前記ヘアクリップに軟靭性及び反撥弾性を付与し、これにより前記ヘアクリップが曲がって変形しても白化現象又は亀裂痕が発生することを防ぎ、頭皮が前記ヘアクリップにより押圧されてもユーザが痛みを感じることを防ぎ、前記くし歯のホールド力により髪が切れることを防ぎ、前記くし歯が力を受けて曲がって変形しても弾性回復力により元に戻ることを特徴とするヘアクリップ。
【請求項２】
前記クリップ体は、熱可塑性エラストマー材料に滑剤が加えられ、前記熱可塑性エラストマーは９８％であり、前記滑剤は２％であることを特徴とする請求項１に記載のヘアクリップ。
【請求項３】
前記クリップ体は、前記熱可塑性エラストマー９８％及び滑剤２％からなり、各成分は、５％の許容誤差を有することを特徴とする請求項２に記載のヘアクリップ。
【請求項４】
前記クリップ体の前記熱可塑性エラストマーは、熱可塑性ポリウレタン、熱可塑性加硫物、スチレン系熱可塑性エラストマー又は熱可塑性ポリエステルエラストマーであることを特徴とする請求項１に記載のヘアクリップ。
【請求項５】
２つのクリップ体を含むヘアクリップであって、
前記クリップ体は、外方に曲げられた押圧片を上部にそれぞれ有するとともに互いに間隔をおいて配置され、閉じたときに互いに交差される湾曲状のくし歯を下部に有し、
前記クリップ体は、スプリング及びピンにより前記クリップ体を互いに枢着させる枢着部を内面にそれぞれ有し、
前記押圧片、前記くし歯及び前記枢着部により構成されたクリップ体は、テレフタル酸９８％及び滑剤２％により製造されて前記ヘアクリップに軟靭性及び反撥弾性を付与し、これにより前記ヘアクリップが曲がって変形しても白化現象又は亀裂痕が発生することを防ぎ、頭皮が前記ヘアクリップにより押圧されてもユーザが痛みを感じることを防ぎ、前記くし歯のホールド力により髪が切れることを防ぎ、前記くし歯が力を受けて曲がって変形しても弾性回復力により元に戻ることを特徴とするヘアクリップ。
【考案の詳細な説明】
【技術分野】
【０００１】
本考案は、ヘアクリップに関し、特に、主に熱可塑性エラストマー（Ｔｈｅｒｍｏｐｌａｓｔｉｃ  Ｅｌａｓｔｏｍｅｒ：ＴＰＥ）９８％及び滑剤（ｌｕｂｒｉｃａｎｔ）２％を含み、軟靭性及び反撥弾性を有するクリップ体を有するヘアクリップに関する。
【背景技術】
【０００２】
一般に整髪には、ヘアピン、ヘアクリップ、カチューシャ、簪又はその他髪型を固定したり整えたりする道具を用いる。ヘアクリップにより髪を束ねるために、クリップ体は耐屈曲性が大きくなければならず、従来技術では、例えば、アクリロニトリル−ブタジエン−スチレン（Ａｃｒｙｌｏｎｉｔｒｉｌｅ−Ｂｕｔａｄｉｅｎｅ−Ｓｔｙｒｅｎｅ：ＡＢＳ）樹脂、ポリカーボネート（Ｐｏｌｙｃａｒｂｏｎａｔｅ:ＰＣ）又はアクリル（ｐｏｌｙｍｅｔｈｙｌｍｅｔｈａｃｒｙｌａｔｅ）など、一つのプラスチック材料を利用してメーカは製造していた。
【０００３】
しかし、このような材料は、伸張性、可塑化戻り性及び靭性を備えていないため、断裂、白化、老化などの現象が容易に発生し、実際に使用する際、ホールド力により頭皮が力を受けてユーザが痛みを感じ、従来のヘアクリップ５は、図４に示すように、押圧片５１上に複数の切欠き５２が凹設され、ヘアクリップ５が押圧片５１に当接されたり押圧されたりすると、直接曲がって下向きの衝撃を和らげ、頭皮にヘアクリップ５が押圧されてユーザは痛みを感じる。
【０００４】
このようなヘアクリップは製造の際、型開が困難で製造が面倒であり、切欠き５２の箇所が薄いため、長時間使用した場合、切欠き５２の箇所が断裂してしまう虞があった。そのため、主に熱可塑性エラストマー（Ｔｈｅｒｍｏｐｌａｓｔｉｃ  Ｅｌａｓｔｏｍｅｒ：ＴＰＥ）及び滑剤（ｌｕｂｒｉｃａｎｔ）からなる２つのクリップ体を射出成形し、軟靭性及び反撥弾性を有するヘアクリップが求められていた。
【先行技術文献】
【特許文献】
【０００５】
【特許文献１】なし
【考案の概要】
【考案が解決しようとする課題】
【０００６】
本考案の主な目的は、十分な軟靭性及び反撥弾性を有し、プラスチックの白化現象、断裂などの従来技術の欠点を有さないヘアクリップを提供することにある。
【課題を解決するための手段】
【０００７】
上記課題を解決するために、本考案の第１の形態によれば、２つのクリップ体を含むヘアクリップであって、前記クリップ体は、外方に曲げられた押圧片を上部にそれぞれ有するとともに互いに間隔をおいて配置され、閉じたときに互いに交差される湾曲状のくし歯を下部に有し、前記クリップ体は、スプリング及びピンにより前記クリップ体を互いに枢着させる枢着部を内面にそれぞれ有し、前記押圧片、前記くし歯及び前記枢着部により構成されたクリップ体は、熱可塑性エラストマー材料により製造されて前記ヘアクリップに軟靭性及び反撥弾性を付与し、これにより前記ヘアクリップが曲がって変形しても白化現象又は亀裂痕が発生することを防ぎ、頭皮が前記ヘアクリップにより押圧されてもユーザが痛みを感じることを防ぎ、前記くし歯のホールド力により髪が切れることを防ぎ、前記くし歯が力を受けて曲がって変形しても弾性回復力により元に戻ることを特徴とするヘアクリップが提供される。
【０００８】
また、前記クリップ体は、熱可塑性エラストマー材料に滑剤が加えられ、前記熱可塑性エラストマーは９８％であり、前記滑剤は２％であることが好ましい。
【０００９】
また、前記クリップ体は、前記熱可塑性エラストマー９８％及び滑剤２％からなり、各成分は、５％の許容誤差を有することが好ましい。
【００１０】
また、前記クリップ体の前記熱可塑性エラストマーは、熱可塑性ポリウレタン、熱可塑性加硫物、スチレン系熱可塑性エラストマー又は熱可塑性ポリエステルエラストマーであることが好ましい。
【００１１】
上記課題を解決するために、本考案の第２の形態によれば、２つのクリップ体を含むヘアクリップであって、前記クリップ体は、外方に曲げられた押圧片を上部にそれぞれ有するとともに互いに間隔をおいて配置され、閉じたときに互いに交差される湾曲状のくし歯を下部に有し、前記クリップ体は、スプリング及びピンにより前記クリップ体を互いに枢着させる枢着部を内面にそれぞれ有し、前記押圧片、前記くし歯及び前記枢着部により構成されたクリップ体は、テレフタル酸９８％及び滑剤２％により製造されて前記ヘアクリップに軟靭性及び反撥弾性を付与し、これにより前記ヘアクリップが曲がって変形しても白化現象又は亀裂痕が発生することを防ぎ、頭皮が前記ヘアクリップにより押圧されてもユーザが痛みを感じることを防ぎ、前記くし歯のホールド力により髪が切れることを防ぎ、前記くし歯が力を受けて曲がって変形しても弾性回復力により元に戻ることを特徴とするヘアクリップが提供される。
【考案の効果】
【００１２】
本考案のヘアクリップは、十分な軟靭性及び反撥弾性を有し、プラスチックの白化現象、断裂などの従来技術の欠点を有さない効果を奏する。
【図面の簡単な説明】
【００１３】
【図１】本考案の一実施形態に係るヘアクリップを示す斜視図である。
【図２】本考案の一実施形態に係るヘアクリップにより髪束を挟んだときの状態を示す平面図である。
【図３】本考案の一実施形態に係るくし歯が力を受けて曲がって変形した後、反撥弾性により元に戻る状態を示す模式図である。
【図４】従来のヘアクリップを示す斜視図である。
【考案を実施するための形態】
【００１４】
以下、本考案の実施形態について図に基づいて説明する。なお、これによって本考案が限定されるものではない。
【００１５】
図１及び図２を参照する。図１及び図２に示すように、本考案の一実施形態に係るヘアクリップは、２つのクリップ体１，２を含む。これらクリップ体１，２は、外方に曲げられた押圧片１１，２１を上部に有するとともに互いに間隔をおいて配置され、閉じたときに互いに交差される湾曲状のくし歯１２，２２を下部に有する。クリップ体１，２には、枢着部１３，２３が内面に形成される。枢着部１３，２３内には、スプリング３及びピン３１が配置されて２つのクリップ体１，２のくし歯１２，２２へホールド力を付与する。
【００１６】
クリップ体１，２は、多数回の材料実験及び実際に行った製造工程によると、熱可塑性エラストマー（Ｔｈｅｒｍｏｐｌａｓｔｉｃ  Ｅｌａｓｔｏｍｅｒ：ＴＰＥ）９８％及び滑剤（ｌｕｂｒｉｃａｎｔ）２％を含み、その各成分の比率の許容誤差は５％であることが好ましく、重合型プラスチックを形成した後、ヘアクリップの成形金型内へ注入して射出成形すると、ヘアクリップを製造することができる。
【００１７】
本実施形態の材料は、その特性により熱可塑性エラストマーの加工が簡単であり、消費電力が少なく、回収して繰り返して使用することができ、製品の品質が制御しやすく、プラスチック材料が混合しやすく、耐低温性を有し、その加工工程が無臭であるため環境及び人体に害を及ばさず、滑剤によりプラスチックなどを加工する際の流動性及び離型性が高く、金型内に粘着してフイッシュアイなどの欠点が生じる虞がある。
【００１８】
熱可塑性エラストマー、滑剤などの成分により重合型プラスチックが形成され、この重合型プラスチックをヘアクリップの金型へ注入して成形して射出させると、軟靭性及び反撥弾性を備えるとともに白化現象が発生することを防ぐことができるヘアクリップを製造することができる。
【００１９】
本実施形態の熱可塑性エラストマー（ＴＰＥ）は、熱可塑性ポリウレタン（Ｔｈｅｒｍｏｐｌａｓｔｉｃ  Ｐｏｌｙｕｒｅｔｈａｎｅ：ＴＰＵ）でもよい。この熱可塑性ポリウレタンは、高強度、高弾性、耐磨耗性、耐油性の特性を有し、製造中に発生した廃材を回収して再利用することができる。
【００２０】
本実施形態の熱可塑性エラストマー（ＴＰＥ）は、熱可塑性加硫物（ＴＰＶ）でもよい。熱可塑性エラストマーは、良好な弾性、耐圧縮変形性、耐環境特性及び耐老化特性を備える上、環境に優しい材料からなり、回収して使用することができ、６回繰り返して使用しても性能が大幅に下がることがないため欧州連合の要求を満たすことができる。
【００２１】
本実施形態の熱可塑性エラストマーは、スチレン系熱可塑性エラストマー（Ｔｈｅｒｍｏｐｌａｓｔｉｃ  Ｓｔｙｒｅｎｅ  Ｅｌａｓｔｏｍｅｒ：ＴＰＳ）でもよく、このスチレン系熱可塑性エラストマーは、好適な引張強度、弾性、耐磨耗性、安価の特性を有する。
【００２２】
本実施形態の熱可塑性エラストマー（ＴＰＥ）は、熱可塑性ポリエステルエラストマー（Ｔｈｅｒｍｏｐｌａｓｔｉｃ  Ｐｏｌｙｅｓｔｅｒ  Ｅｌａｓｔｏｍｅｒ：ＴＰＥＥ）でもよく、低温靭性、耐薬品性、耐油性及び絶縁性を有し、優れた耐屈曲性を備えているため、引張又は圧縮に対して優れ、弾性範囲内において熱可塑性ポリエステルエラストマーの反弾性に優れている。
【００２３】
本実施形態のクリップ体１，２は、テレフタル酸（Ｔｅｒｅｐｈｔｈａｌｉｃ  ａｃｉｄ：ＴＰＡ）９８％及び滑剤（ｌｕｂｒｉｃａｎｔ）２％からなってもよく、各成分の比率の許容誤差は５％であり、重合型プラスチックを形成してから成形金型内へ注入して射出成形を行い、ヘアクリップを形成する。
【００２４】
図２を参照する。図２に示すように、ヘアクリップを使用して頭髪を整える際、２つのクリップ体１，２が髪束４を束ねるときに曲がって変形しても、本考案は前述した組合材料及び組合比率によりヘアクリップのくし歯１２，２２が曲がって変形し、白化現象が生じたり亀裂痕が生じたりすることがない上、軟靭性及び反撥弾性を有するため、ユーザの頭皮をヘアクリップにより押圧してもユーザが痛みを感じたり髪がくし歯１２，２２のホールド力により切れたりすることを防ぎ、くし歯１２，２２が力を受けて曲がって変形した後、回復弾性力により元に戻る（図３参照）。
【００２５】
上述したことから分かるように、本考案のヘアクリップは、上述した材料及び比率の組合せにより、十分な軟靭性及び反撥弾性を得ることができるとともに、前述した各種プラスチックに白化現象が起きたり、亀裂痕が生じたり、老化したりすることを防ぐことができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１    クリップ体
２    クリップ体
３    スプリング
４    髪束
５    ヘアクリップ
１１  押圧片
１２  くし歯
１３  枢着部
２１  押圧片
２２  くし歯
２３  枢着部
３１  ピン
５１  押圧片
５２  切欠き
【図１】
0003181911.tif 000003
【図２】
0003181911.tif 000004
【図３】
0003181911.tif 000005
【図４】
0003181911.tif 000006